(57)【要約】【課題】演出効果が従来よりも高く、かつ、配置領域をコンパクトにできる遊技機の演出装置を提供する。【解決手段】同一軸線上に内側筒体８５と外側筒体８４とを配置し、内側筒体８５の内側には、光源８７１を配置する。内側筒体８５と外側筒体８４は、同じ側の端部が回動自在に軸支され、それぞれの支持軸が同一軸線上に位置する２重軸構造となっている。各軸には、駆動モータ８８、８９がそれぞれ接続され、駆動モータによる回動操作によって、所望の図柄を選択的に遊技者側へ表示する構成とする。駆動モータ８８、８９は、出力軸が上方を向く姿勢で配置さているので、モータ内の潤滑油などが、出力軸を伝って漏れ出すといったトラブルが抑制される。【選択図】  図６
2006262935.tif 000002
【特許請求の範囲】
【請求項１】
遊技機に設けられる演出装置であって、
円筒型であって少なくとも一部に透光可能な透光部を有する外側筒体と、
前記外側筒体の内部に収容され、表面に図柄が設けられている内側筒体と、
前記外側筒体を支持する回動可能な第１支持軸と、
前記内側筒体を支持する回動可能な第２支持軸とを備え、
前記第１支持軸と前記第２支持軸は、前記外側筒体と前記内側筒体の同じ側の端部に接続され、前記外側筒体と前記内側筒体を前記第１と第２の支持軸でそれぞれ支持する片持ち支持構造となっている遊技機における演出装置。
【請求項２】
前記内側筒体は、前記外側筒体と同軸上に支持され、前記第１支持軸は、軸心部分に支持孔を有し、該支持孔に前記第２支持軸を挿通した二重軸構造を備え、第１支持軸は、第２支持軸により支持されている請求項１に記載の遊技機における演出装置。
【請求項３】
前記内側筒体は、一部に透光可能な透光部を有し、
前記内側筒体の内側に光源を有する請求項１又は２に記載の遊技機における演出装置。
【請求項４】
前記外側筒体は、透光可能な部材により構成されている請求項１〜３のいずれか１に記載の遊技機における演出装置。
【請求項５】
前記内側筒体は、透光可能な部材により構成されている請求項１〜４のいずれか１に記載の遊技機における演出装置。
【請求項６】
前記外側筒体と前記内側筒体の、前記第１支持軸及び前記第２支持軸が設けられている基端部に対して、前記外側筒体の先端部内壁面と前記内側筒体の先端部外壁面の間に配置され、前記外側筒体又は前記内側筒体の先端部の中心が支持軸の軸線から外れた場合に、該各先端部に接触し、先端部の中心を軸線位置方向へ案内する案内部材を複数有する請求項２〜５のいずれかに記載の遊技機における演出装置。
【請求項７】
前記内側筒体の先端部は、前記内側筒体の横断面外径よりも小径の横断面径を有する小筒体を、前記内側筒体と同心位置に有し、
前記案内部材は、前記小筒体に接触する請求項６に記載の演出装置。
【請求項８】
前記第１支持軸及び前記第２支持軸には、回転駆動力を伝達する駆動装置がそれぞれ接続されている請求項１〜７のいずれか１に記載の遊技機における演出装置。
【請求項９】
前記駆動装置は電動モータであり、該電動モータの出力軸は、上向きに配置されている請求項８に記載の遊技機における演出装置。
【発明の詳細な説明】
【技術分野】
【０００１】
本発明は、遊技機の演出装置に係り、詳しくは、筒状の表示体が回転する構成を有する演出装置に関するものである。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。 
パチンコ遊技機においては、遊技盤中央に液晶パネルなどを用いた図柄変動表示装置を設けたものがあり、入賞に応じて抽選状態や抽選結果などの図柄を変動表示することができるようになっている。この図柄を表示する表示装置には、その周囲を囲む装飾部材が設けられ、この装飾部材には、演出の内容に応じて点滅するランプや、動くキャラクターが設けられているものもある。
【特許文献１】特開２００４−５７６５５号（図２符号２８０、２７０））
【発明の開示】
【発明が解決しようとする課題】
【０００３】
上記特許文献１に開示されているような遊技機においては、変動表示装置の周囲に設けられた、前面構成部材２００は、取付ベース２１０と、表示窓枠２２０と、右側装飾ユニット２３０と、左側装飾ユニット２４０と、装飾レンズ部材２５０と、発光ユニット２６０とを有し、さらに、筒状装飾部材２８０が配設されたサイド装飾部材２７０を備えている。これらの構成要素は、基本的に動きが無く、主として光の点滅などにより演出効果を発揮するものである。 
これらの装飾部材による演出では、視覚的な変化が少なく、従来の遊技の演出を経験している遊技者に対しては、多大な演出効果を期待することは難しい。
【０００４】
また、モータなどによって装飾部材が動く構成などを採用するには、配置スペースが少なく、動力を伝達する機構やモータ等の駆動源を配置するには、制約が多い。つまり、装飾部材の仕組みを複雑なものとするには、演出機構を設けるスペースや、配線を引きまわすためのルートを確保するなど、演出装置のために利用する領域を広げる必要があり、遊技機自体を大掛かりにしなければならず、このようなことは、領域が限られている遊技機では、特に困難である。 
本発明の目的は、演出効果が従来よりも高く、かつ、配置領域をコンパクトにできる遊技機の演出装置を提供することにある。
【課題を解決するための手段】
【０００５】
以上のような問題を解決する本発明は、以下のような構成を有する。 
（１）  遊技機に設けられる演出装置であって、
円筒型であって少なくとも一部に透光可能な透光部を有する外側筒体と、
前記外側筒体の内部に収容され、表面に図柄が設けられている内側筒体と、
前記外側筒体を支持する回動可能な第１支持軸と、
前記内側筒体を支持する回動可能な第２支持軸とを備え、
前記第１支持軸と前記第２支持軸は、前記外側筒体と前記内側筒体の同じ側の端部に接続され、前記外側筒体と前記内側筒体を前記第１と第２の支持軸でそれぞれ支持する片持ち支持構造となっている遊技機における演出装置。
【０００６】
（２）  前記内側筒体は、前記外側筒体と同軸上に支持され、前記第１支持軸は、軸心部分に支持孔を有し、該支持孔に前記第２支持軸を挿通した二重軸構造を備え、第１支持軸は、第２支持軸により支持されている上記（１）に記載の遊技機における演出装置。
【０００７】
（３）  前記内側筒体は、一部に透光可能な透光部を有し、
前記内側筒体の内側に光源を有する上記（１）又は（２）に記載の遊技機における演出装置。
【０００８】
（４）  前記外側筒体は、透光可能な部材により構成されている上記（１）〜（３）のいずれか１に記載の遊技機における演出装置。
【０００９】
（５）  前記内側筒体は、透光可能な部材により構成されている上記（１）〜（４）のいずれか１に記載の遊技機における演出装置。
【００１０】
（６）  前記外側筒体と前記内側筒体の、前記第１支持軸及び前記第２支持軸が設けられている基端部に対して、前記外側筒体の先端部内壁面と前記内側筒体の先端部外壁面の間に配置され、前記外側筒体又は前記内側筒体の先端部の中心が支持軸の軸線から外れた場合に、該各先端部に接触し、先端部の中心を軸線位置方向へ案内する案内部材を複数有する上記（２）〜（５）のいずれかに記載の遊技機における演出装置。
【００１１】
（７）  前記内側筒体の先端部は、前記内側筒体の横断面外径よりも小径の横断面径を有する小筒体を、前記内側筒体と同心位置に有し、
前記案内部材は、前記小筒体に接触する上記（６）に記載の演出装置。
【００１２】
（８）  前記第１支持軸及び前記第２支持軸には、回転駆動力を伝達する駆動装置がそれぞれ接続されている上記（１）〜（７）のいずれか１に記載の遊技機における演出装置。
【００１３】
（９）  前記駆動装置は、電動モータであり、該電動モータの出力軸は、上向きに配置されている上記（８）に記載の遊技機における演出装置。
【発明の効果】
【００１４】
請求項１に記載の発明によれば、外側筒体と内側筒体がそれぞれ回動する構成とすることで、各筒体に表示された図柄の相互の位置関係が変更され演出効果が向上する。なお、内側筒体は、透光部を介して視認できるので、両筒体の相対的な位置関係の変更により、より多くの演出パターンを構成できる。また、各筒体は、それぞれ同じ側の端部で片持ち支持されているので、筒体を支持する構造が簡易となり、より小さな配置スペースに取り付けることが可能となる。
【００１５】
請求項２に記載の発明によれば、外側筒体を支持する第１支持軸は、内側筒体を支持する第２支持軸により同軸上に支持されているので、２つの筒体を支持する支持機構が１つとなり、支持機構の構成を簡易として機構サイズの小型化を図ることができる。 
請求項３に記載の発明によれば、内側の光源から発せられる光が、回転する内側筒体から外側に漏れ出す位置が移動し、内側筒体の外周面に施された図柄や外側筒体の外周面に施された図柄に対する演出効果が一層向上する。
【００１６】
請求項４に記載の発明によれば、外側筒体を透光可能な部材により構成することによって、内側からの光による、外周面の図柄を演出する効果が加えられ、全体的な演出効果が促進される。 
請求項５に記載の発明によれば、内側筒体を透光可能な部材により構成することによって、内側からの光による、外周面の図柄を演出する効果が加えられ、全体的な演出効果が促進される。
【００１７】
請求項６に記載の発明によれば、両筒体において、支持軸の反対側の端部に設けられた案内部材は、回転軸の軸線からの筒体先端部の偏心を中心に位置するように案内するので、両筒体が回動する際の端部の偏心（ブレ）を抑制することができる。また、少なくとも筒体先端部の中心が軸線から外れた場合に、案内部材が該筒体先端部に接触する構成となっているので、案内部材を設ける位置に高い精度は必要でなく、構造を単純化でき、取り付け作業が容易となる。
【００１８】
請求項７に記載の発明によれば、内側筒体よりも小径の小筒体をもうけ、小筒体に対して案内部材が作用する構成とすることによって、内側筒体と外側筒体の間に、案内部材を配置するスペースを拡大することができる。このため、案内部材の構成を大型化できるなど、設計の幅が広がる。
【００１９】
請求項８に記載の発明によれば、前記第１支持軸及び前記第２支持軸にそれぞれ駆動装置が接続されているので、外側筒体と内側筒体を、それぞれ別個に回動させることができ、演出パターンを一層多様化させることができる。 
請求項９に記載の発明によれば、電動モータの出力軸を上向きにすることによって、モータ内の潤滑オイルなどが、出力軸を伝って漏れ出すといったトラブルが抑制される。
【発明を実施するための最良の形態】
【００２０】
図１は、本実施形態における遊技機を示す図である。以下、本明細書において、遊技機の遊技者が配置される側を正面、前面又は前側として表現し、遊技者の配置位置に対して反対側を背面、後面又は後側とする。 
図１においてパチンコ遊技機１００は、外郭方形枠サイズに形成されて縦長の固定保持枠を構成する外枠１の開口前面に、外枠１に合わせて方形枠サイズに形成された開閉搭載用の前枠２を備えている。
【００２１】
前枠２は、外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。 
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００２２】
遊技領域６には、略中央部に図柄変動表示装置が設置される窓部で構成された表示部６ａが設けられている。 
表示部６ａの周りには装飾部材６ｂや始動入賞口６ｃおよび大入賞口６ｄなどがそれぞれ配置されている。遊技領域下部にはアウト球を回収するアウト口６ｅも設けられており、始動入賞口６ｃや大入賞口６ｄに入賞せずに落下したアウト球を遊技盤３の背面側から機外に排出できるようになっている。
【００２３】
また、前枠２の前面上部側には、遊技盤３を視認できるように透明なガラス盤を備えた前扉２１が水平方向に開閉可能かつ着脱可能に設けられ、通常は、施錠装置４により閉鎖状態に保持されて遊技盤３の前面を覆っている。 
前枠２の前面下部側で前扉２１の下方には、球受け皿を構成している一体皿５１が、前枠２に開閉支持されている背面板（図示されず）に取り付けられて設けてあり、一体皿５１は、図示しない施錠装置により通常、閉鎖状態に保持されている。一体皿５１には、パチンコ球が存在する皿部だけではなく、皿部の正面右側下部に発射ハンドル５２が、そして、正面左側下部に灰皿５３等が設けられている。
【００２４】
図２は、図柄変動表示装置６ａの周囲を装飾する装飾部材６ｂの構成を説明するための全体斜視図である。同図において図柄変動表示装置２００は、液晶パネルなどの表示体２０１を裏面側から装着されて遊技盤３の表示部６ａから外部に露呈する飾り部２００Ａ１を前面側に有した支持枠２００Ａで主要部が構成されており、支持枠２００Ａには、表示装置６ａの下側に位置し、遊技球を受け入れる転動部７が設けられている。転動部７は、支持枠２００Ａの下辺部を構成しており、左右水平方向に形成されたステージ（棚）として構成される。また、転動部７の一方の側部材（右側）には、回転する筒体を有する演出装置８が配置されている。演出装置８の周囲は、飾り部２００Ａ１によって装飾されている。
【００２５】
また、支持枠２００Ａの他方の側部材（左側）には、導通路２０２が設けられており、この導通路２０２の上端は、支持枠２００Ａの上部に形成された導入口２００Ｃに、下端は転動部７が遊技球を受け入れる受入口７０１に連通している。導入口２００Ｃに入った遊技球は、重力により導通路２０２内を通過し、受入口７０１から、転動部７内へ受け入れられる。
【００２６】
図３は、転動部７の平面図である。転動部７は、上記受入口７０１から受け入れられる遊技球や、転動部７の下側に位置する釘等で跳ね上げられた遊技球を受け入れ、これらの遊技球を適宜転動させ、所定の排出部から遊技盤３の前面側に排出する作用を有する。
【００２７】
転動部７は、略中央部に設けられ、円弧状に形成された第１案内路７１ａ、７１ｂと、該第１案内路７１によって囲まれた凹部で構成された特定転動部７６、特定転動部７６内に設けられた第２案内路７２、転動部７の両端にそれぞれ配置された第３案内路７３ａ、７３ｂ、第３案内路７３ａ、７３ｂの間に配置され、各第３案内路７３ａ、７３ｂの対向する端部をそれぞれ接続する第４案内路７４、第５案内路７５を備えている。これらの第１〜第５案内路７１ａ、７１ｂ、７２、７３ａ、７３ｂ、７４、７５は、転動部７内に受け入れられた遊技球の転動をガイドするものである。
【００２８】
第１案内路７１ａ、７１ｂは、転動部７の前面から後面へ向けて挿通する中心線Ｌを中心として線対称となる円弧形状に形成されており、円弧の外側が高く設定された段部７１１により案内路が構成される。左右の第１案内路７１ａ、７１ｂは、中心線Ｌ上において、中心線Ｌに対して交差角が鋭角となるように各中心側端部が接続されており、他方の前面側の端部は、排出口７６１に接続されている。特定転動部７６は、上記２つの第１案内路７１ａ、７１ｂに囲まれることにより形成される凹部により構成され、凹部を囲む段部７１１が途切れる前面側が排出口７６１となる。特定転動部７６内に収容された遊技球は、この排出口７６１から、前面側へ排出される。凹部で構成される特定転動部７６の外縁形状は、外側に膨らむ円弧と、中心部で左右の円弧が鋭角状に交差する交差部と、遊技盤３の前面に平行に開口した排出口７６１とによって形付けられる。
【００２９】
図４は、転動部７の中心線Ｌにおける断面側面図である。特定転動部７６の底面７６０は、遊技球が内部に滞留しないように、排出口７６１へ向けて若干傾斜（前側が後側より低い）して構成されている。 
特定転動部７６内に転がり込んだ遊技球の一部は、第１案内路７１ａ、７１ｂに案内され、円弧状の軌跡を描きつつ転動する。円弧の軌跡を描きながら転動する際には、遠心力により外側に遊技球を押し付ける作用が生じるので、円弧の外側に形成された段部７１１のみで、遊技球を案内する作用を発揮するものである。
【００３０】
特定転動部７６内において、中心線Ｌに沿って第２案内路７２が形成されている。第２案内路７２は、横断面形状がＶ字型となっている直線的な溝により構成されており、前面側へ向けて横幅が漸増する形状に形成されている。そして、第２案内路７２の基端は、第１案内路７１の端部に接続され、第２案内路７２の先端は、排出口７６１に接続されている。この中心線Ｌは、下方に配置されている始動入賞口６ｃの中心を通る鉛直線と交差している。 
排出口７６１の前面側には、前面側が下段となる段部７６２が形成されている。
【００３１】
このような構成において、排出口７６１の幅（間口）は、遊技球の直径よりも十分大きく、排出口７６１から排出される遊技球は、第２案内路７２によってガイドされて排出される球と、第１案内路７１ａ、７１ｂによってガイドされて排出される球と、第１案内路７１ａ、７１ｂ、第２案内路７２の何れもガイドされずに排出される球とが存在することとなる。段部７６２を介して、排出案内部７７の基端が、排出口７６１に接続されている。排出案内部７７の先端は、転動部７の前面側端まで到達し、排出口７６１から排出された遊技球を、遊技盤３の前面側まで案内する。排出案内部７７は、先端側が低く設定された傾斜を有し、遊技球の転動による排出を促す構成となっている。また、排出案内部７７は、横断面が円弧状の溝として形成され、溝幅は、先端へ向けて漸増し、また、横断面の円弧形状も、先端へ向けて曲率が漸減する構成となっている。この曲率は、遊技球表面の曲率より十分小さく構成され、排出案内部７７内で、横方向に（中心線Ｌに対して水平直交方向に）十分揺動可能な形状に構成されている。
【００３２】
転動部７の両端には、それぞれ第３案内路７３ａ、７３ｂが配置されている。
【００３３】
第３案内路７３ａ、７３ｂは、それぞれ外側に膨らむ円弧状に形成され、外側を上段とする段部７３１によって遊技球が案内される。第３案内路７３ａ、７３ｂは、同じ形状で、中心線Ｌを中心として相互に線対称となる位置に配置される。各第３案内路７３ａ、７３ｂの両端は、それぞれ転動部７の前端と後端に接続され、各端部の間には、第４案内路７４と第５案内路７５が設けられ、これらの第３案内路７３ａ、７３ｂ、第４案内路７４、第５案内路７５によって、ループ状（環状）の案内路が構成される。
【００３４】
第４案内路７４は、転動部７の前端に沿って設けられ、中央部を上記排出案内部７７が横断する構成となっている。第４案内路７４は、中央部が最も低く、両端へ向けて上る傾斜を有しており、第４案内路７４内の遊技球は、中央の排出案内部７７へ向けて転動するように構成されている。 
一方、第５案内路７５は、転動部７の前端に沿って設けられ、中央部分が最も高く、両端へ向けて下る構成となっている。
【００３５】
左右の第３案内路７３ａ、７３ｂの内側は、中央の特定転動部７６へ向けて下る傾斜面７３２ａ、７３２ｂを有し、分岐部７３３ａ、７３３ｂによって、傾斜面７３２ａ、７３２ｂに沿って下る遊技球は、特定転動部７６か、第４案内路７４のいずれかに振り分けられる。 
なお、特定転動部７６の外側には、傾斜面７３２ａ、７３２ｂや、第４案内路７４の間に平面部７８が設けられているが、この平面部７８も前面へ向けて下る傾斜が設定されており、平面部７８内での遊技球の滞留が抑制されている。
【００３６】
以上のように構成された転動部７内における遊技球の動きについて説明する。導入口２００Ｃに入った遊技球は、受入口７０１から、転動部７内へ受け入れられる。このとき、遊技球の移動速度は、運動エネルギーとしては最も高い状態であり、転動部７内を移動する速度が比較的速い状態である。この受け入れられた遊技球は、最初に第４案内路７４内を通過する。遊技球の速度が速いため、第４案内路７４の傾斜を上り、反対側に位置する第３案内路７３ａの前面側端部に到達する。さらに、遊技球は、円弧状段部７３１ａに案内され、第５案内路７５に到達する。第５案内路７５を上り、通過した遊技球は、受入口７０１が設けられている側の第３案内路７３ｂの端部に到達する。第３案内路７３ｂに達した遊技球は、円弧状段部７３１ｂに案内され、第４案内路７４に到達する。このようにして、遊技球は、転動の勢いがある程度低下するまで、第４案内路７４、第３案内路７３ａ、第５案内路７５、第３案内路７３ｂによって、ループ状の軌跡を形成し、転動する。このように、円弧状の第３案内路７３ａ、７３ｂによって、遊技球の動きがガイドされるため、受入口７０１から受け入れられた遊技球の勢いが殺がれ難く、遊技球の勢いをより長く維持させることができ、遊技の興趣性を向上させることができる。
【００３７】
上記ループ経路を通過する遊技球の勢いが減少すると、各部の傾斜に沿って遊技球が転動し、排出案内部７７から、遊技盤３の前面側へ排出される。例えば、第４案内路７４内で、第４案内路７４の傾斜を上る勢いが無くなれば、傾斜によって中央の排出案内部７７に遊技球が導かれ、排出される。 
また、第５案内路７５内で、第５案内路７５の傾斜を上る勢いが無くなれば、傾斜に沿って、左右どちらかの端部へ遊技球が転動し、左右の傾斜面７３２ａ、７３２ｂによって、特定転動部７６又は、第４案内路７４へ導かれる。
【００３８】
特定転動部７６に転入した遊技球は、例えば、第１案内路７１ａの前面側端部に接続されれば、転動方向を円弧状に案内されて、第１案内路７１ａの中央端まで案内され、第２案内路７２に接続され、排出口７６１から、略中心線Ｌに沿って排出され、始動入賞口６ｃに最も入りやすい位置から落下することとなる。また、この場合、遊技球が排出口７６１の段部７６２を通過する際に、通過ルートが微妙に変化し、始動入賞口６ｃに落下するルートが外れる場合もあり、遊技球のルートにバリエーションが加わる。
【００３９】
また、第１案内路７１ａの中央端まで案内された遊技球であっても、勢いが強い場合には、第２案内路７２に接続されることなく、第２案内路７２を通過してしまう場合もある。 
さらに、第１案内路７１ａにガイドされない遊技球であっても、特定転動部７６内を転動している際に、第２案内路７２に載り、第２案内路７２のルートを取る場合もある。また、底面７６０は、傾斜しているため、この傾斜に沿って第１案内路７１ａ、７１ｂの前面側端部から排出される遊技球も存在する。
【００４０】
排出口７６１には、段部７６２が設けられているので、排出口７６１に到達した遊技球は、段部７６２に下段へ落下し、排出が促進される。また、排出案内部７７を通過して遊技球が排出される際、受入口７０１からの遊技球と接触する場合もあり、遊技球の動きには不測の動きも加えられる。 
また、遊技盤３の表面に設けられた釘に弾かれて転動部７内に受け入れられた遊技球は、転動部７内の何れの位置に受け入れられたとしても、傾斜面７３２ａ、７３２ｂ等により、最終的に特定転動部７６又は、排出案内部７７内に案内され、遊技盤３の前面側に排出される。
【００４１】
以上のように構成された転動部７における特定転動７６の形状は、円弧状の第１案内路７１ａ、７１ｂで構成され、第２案内路７２への接続を容易とするために、中央部に鋭角状の接続部７９が設けられているが、この接続部７９を設けずに、全体として左右方向に長い楕円形状であってもよい。
【００４２】
次に、転動部７の右側方に位置する演出装置８の構成について説明する。図５は、演出装置８の構成を示す全体斜視図であり、飾り部２００Ａ１を取り外した状態を示すものである。また、図６は、演出装置８の断面側面図を示すものである。
【００４３】
演出装置８は、装飾部材６ｂに支持された基材８１と、基材８１の上下端部おいて、正面側に突出して支持された、上部支持部材８２と、下部支持部材８３と上部支持部材８２との間に回動可能に支持された外側筒体８４と、内側筒体８５と、外側筒体８４に駆動力を供給する駆動モータ８９、内側筒体８５に駆動力を供給する駆動モータ８８と、外側筒体８４の外側に外装される外カバー８６と、内側筒体８５の内側に挿入される光源回路基板８７とを備えている。
【００４４】
基材８１は、装飾部材６ｂに固定されており、鉛直方向に長辺が沿った姿勢で配置されている。基材８１の上下端部には、それぞれ上部支持部材８２と、下部支持部材８３が、前側に突出して固定されている。下部支持部材８３の下側には、駆動装置である駆動モータ８８、８９が配置され、各駆動モータ８８、８９の出力軸８８１、８９１は、下部支持部材８３の上面に、それぞれ突出している。この実施形態では、駆動モータ８８、８９は、電動モータである。また、ステッピングモータで構成した場合には、各筒体８４、８５の回転位置を制御できるので、演出の幅が広がる。
【００４５】
外側筒体８４と内側筒体８５とは、円筒状の筒体により構成され、透明な材質でそれぞれ構成されている。内側筒体８５は、外側筒体８４の内側に配置され、各筒体８４、８５の軸線は、一致するように配置されている。そして、外側筒体８４の外側には、同じく筒状の外カバー８６が固定されている。外カバー８６は、透明な材料で構成され、外側筒体８４と内側筒体８５を内側に収容し、背面側のアーム８６２、８６２によって基材８１に固定されている。外カバー８６の上端開口は、上部支持部材８２に固定されたカバー取付部材８６１に嵌合されている。
【００４６】
図７は、外カバー８６、外側筒体８４、内側筒体８５を除いた状態を示す演出装置８の全体斜視図である。図８は、外側筒体８４、内側筒体８５の基端支持構造を示す拡大斜視図であり、図９は、同じく断面側面図である。
【００４７】
内側筒体８５には、下端の開口に基端部材８５１が嵌入固定され、上端の開口に先端部材８５４が嵌入固定されている。基端部材８５は、円盤状に形成され、周端辺には、内側筒体８５の開口に嵌合させるためのフランジ８５１ｂが形成されている。また、先端部材８５４の中央部には、挿入口８５４ｂを内側に有する小筒体８５４ａが、外側（先端側）へ向けて突出形成されている。
【００４８】
図９に示されているように、基端部材８５１の中央には、延長支持軸８５３の先端部８５３ａが嵌入される軸孔８５１ｃが形成され、軸孔８５１ｃの周囲には、接続強度を増すためのスリーブ８５１ａが形成されている。延長支持軸８５３は、連結軸８５２を介して、駆動モータ８８の出力軸８８１に接続されている。
【００４９】
連結軸８５２は、両端に、接続穴８５２ａ、８５２ｂを備え、一方の接続穴８５２ａには、出力軸８８１の先端が嵌入され、他方の接続穴８５２ｂには、延長支持軸８５３の基端が嵌入される。出力軸８８１の先端部と、延長支持軸８５３の基端部８５３ｂの側面には、軸方向に面取りがされている。そして、接続穴８５２ａ、８５２ｂ内にも軸方向に同様の平面が形成され、嵌合時には、相互に両平面が面接触する構成となっており、これにより、出力軸８８１、連結軸８５２、延長支持軸８５３は、相互にフリー回転することなく、一体として回動する構成となっている。この出力軸８８１、連結軸８５２、延長支持軸８５３によって第２支持軸が構成される。
【００５０】
延長支持軸８５３の先端部８５３ａ側面にも、基端部８５３ｂと同様に、軸方向に面取りがされ、軸孔８５１ｃの内側にも軸方向に同様の平面が形成され、嵌合時には、相互に両平面が面接触する構成となっている。これにより、第２支持軸と、内側筒体８５は、基端部材８５１を介して、一体として回動する構成となっている。
【００５１】
延長支持軸８５３の中央部、即ち、面取りが施されている先端部８５３ａと基端部８５３ｂの間には、断面形状が円形である支持部８５３ｃが設けられており、この支持部８５３ｃには、外側筒体８４の基端部材８４１の軸孔８４１ｄが回動自在に挿入されている。基端部材８４１と延長支持軸８５３とは、相互に自由回動可能に接合され、外側筒体８４は延長支持軸８５３によって回動自在に支持されている。
【００５２】
外側筒体８４の基端開口には、基端部材８４１が嵌入固定されている。基端部材８４１は、円盤状に形成され、周端辺には、外側筒体８４の開口に嵌合させるためのフランジ８４１ｂが形成されている。基端部材８４１の中央には、スリーブ８４１ｃが設けられ、スリーブ８４１ｃの中心には、軸孔８４１ｄが形成されている。スリーブ８４１ｃの外側には、スリーブ８４１ｃよりも大径の外スリーブ８４１ａが上方に突出し、外スリーブ８４１ａ内でスリーブ８４１ｃを支持することで、上下方向での、第２支持軸との接続位置を調整可能としている。第１支持軸は、スリーブ８４１ｃで構成される。
【００５３】
基端部材８４１の下側には、軸孔８４１ｄと同心円のピッチ円を有する従動歯車８４２が一体として設けられている。この従動歯車８４２には、駆動歯車８４３が噛み合っている。駆動歯車８４３の中心には、駆動モータ８９の出力軸８９１が接続されている。駆動場車８４３と出力軸８９１との接合部は、連結軸８５２と出力軸８８１との接合構造と同様に構成され、一体として回動する構成となっている。このように、駆動モータ８９の駆動力は、出力軸８９１、駆動歯車８４３、基端部材８４１の順で伝わり、その結果、外側筒体８４が回動駆動する。
【００５４】
以上のように構成された基端部材８４１、８５１に外側筒体８４と内側筒体８５を嵌め合わせることによって、外側筒体８４の内側に内側筒体８５が収納される形となり、両者は、同じ回動軸上において、回動する構成となる。以上のような構成において、外側筒体８４と内側筒体８５は、駆動モータ８９、８８によって、それぞれ独立して回動駆動される。
【００５５】
次に、上部支持部材８２について説明する。既述の通り、上部支持部材８２の下側には、カバー取付部材８６２が固定され、該カバー取付部材８６２には、外カバー８６の上端開口が嵌合される。図１０は、外側筒体８４及び内側筒体８５の先端部の横断面図である。上部支持部材８２の下側面において、カバー取付部材８６２の内側には、３つの案内部材８５５、８５５、８５５が配置されている。外側筒体８４、内側筒体８５の回動軸の軸線を中心とする円周上に、前記３つの案内部材８５５、８５５、８５５が、周方向等感覚で配置されている。
【００５６】
案内部材８５５、８５５、８５５は、それぞれ同じ構成であり、上部支持部材８２の下側に立設された軸８５５ａと、該軸８５５ａの先端に設けられた円盤状の接触片８５５ｂとを備えている。接触片８５５ｂの直径は、小筒体８５４ａの外周面と外側筒体８４の内周面との距離と略等しく構成されており、接触片８５５ｂの外周は、小筒体８５４ａの外周及び外側筒体８４の内周面とに接触可能に配置されている。接触片８５５ｂは、小筒体８５４ａの外周及び外側筒体８４の内周面とに、常時接触している必要はない。例えば、内側筒体８５の先端部の中心が、回動時に偏心し、回転軸線から外れた場合に、小筒体８５４ａの外周面に当接して、先端部の中心を回転軸付近へ案内する作用が得られれば良く、常時小筒体８５４ａの外周に接触していなくてもよい。このような案内部材８５５、８５５、８５５が、小筒体８５４ａの周囲に配置されていることにより、内側筒体８５の先端部位置は、第２支持軸の軸線上付近に位置することができる。外側筒体８４に対する案内部材８５５、８５５、８５５の作用も同様であり、ただ、案内部材８５５、８５５、８５５が、内側に位置し、内周面に接触する点が異なり、先端部位置を、第１支持軸の軸線上付近に案内させる作用は同様である。
【００５７】
この実施形態の各案内部材８５５の接触片８５５ｂは、固定されており、小筒体８５４ａや外側筒体８４の内周面に接触する場合には、これらに摺接することとなる。摺接による接触抵抗は、接触圧が低いことと、筒体８４、８５の回転速度が遅いことから、駆動モータ８８、８９の負担にならない程度の微小なものとなる。外側筒体８４、内側筒体８５の回転速度は、筒体周面の演出図柄が遊技者に十分視認できる程度の速度であり、極めて低速であり、かつ、回転も断続的である。このため、外側筒体８４、内側筒体８５の先端部は、回転軸の軸線上付近に位置していれば、回転駆動機構として十分機能する。従って、案内部材８５５、８５５、８５５には、外側筒体８４、内側筒体８５の先端部を軸線上に完全に一致させる程の精度はかならずしも必要なく、上記程度の構成でよい。
【００５８】
このような案内部材８５５を、小筒体８５４ａや外側筒体８４の内周面に接触するのみの簡易な構成とすることによって、演出装置８の構成を簡易なものとし、装飾部材に装着できる程度のコンパクトな構成とすることが可能となる。なお、上記構成は、内側の案内部材８５５、８５５、８５５が、外側筒体８４と内側筒体８５とに同時に作用する構成として説明したが、接触片８５５ｂの径をより小さくして、内側筒体８５にのみ作用する構成としてもよい。外側筒体８４に対してカバー取付部材８６１により、同様の作用を得ることができる。外側筒体８４の先端部は、カバー取付部材８６１内に位置し、該先端外周面と、カバー取付部材８６１の内周面は、接触圧が零又は微小となる程度の接触、又は離間している関係である。そして、外側筒体８４が回動すると、その先端部は、カバー取付部材８６１の内周面に接触することによって、先端部の中心が軸線上に位置するように案内される。
【００５９】
図６および図７に示されているように、上部支持部材８２の下面において、小筒体８５４ａの挿入口８５４ｂに対向する位置には、光源回路基板８７が下方に向けて設けられている。光源回路基板８７は、縦長形状の基板であって、挿入口８５４ｂから内側筒体８５内に挿入され、基端部材８５１近傍まで、先端が達している。
【００６０】
光源回路基板８７の正面側表面には、複数の光源８７１が透過間隔で配置されており、内側筒体８５を内側から均等に照らすことができる構成となっている。光源回路基板８７は、内側筒体８５及び外側筒体８４に対して、一体にもうけられておらず、上部支持部材８２に固定されているので、常時正面側へ光源８７１を向けた状態に維持される。なお、光源８７１は、特に限定されないが、例えば、発光ダイオード、ＥＬ発光素子、電球、蛍光灯などの発光手段が上げられる。
【００６１】
外カバー８６、内側筒体８５、外側筒体８４は、それぞれ透光可能な材料により構成されているので、光源８７１の光は、遊技者に到達する。そして、内側筒体８５、外側筒体８４の外周面には、所望の図柄が印刷されたフィルムが貼り付けられる。そして、駆動モータ８８、８９を駆動させて、図柄の特定の部位を遊技者側に位置させる等の制御を行うことによって、演出が行われる。図柄の施されたフィルムを貼り付けることで、光が遮られる部分と、光が通過する透光部とが形成される。
【００６２】
以上説明した演出装置８の構成において、駆動モータ８８を駆動させると、内側筒体８５が回動駆動する。また、駆動モータ８９を駆動させると、外側筒体８４が回動駆動する。外側筒体８４と内側筒体８５は、それぞれ独立して回動する。駆動モータ８８、８９をステッピングモータとした場合には、外側筒体８４、内側筒体８５の回動位置を制御することができる。即ち、特定の図柄を所望の方向（例えば正面側、遊技者の方向）へ向けた状態で、停止させることができる。
【図面の簡単な説明】
【００６３】
【図１】本発明の演出装置が搭載される遊技機の全体正面図である。
【図２】本発明の演出装置が搭載される遊技機に用いられる図柄変動表示装置の全体斜視図である。
【図３】本発明の演出装置が搭載される遊技機の転動部を示す全体平面図である。
【図４】本発明の演出装置が搭載される遊技機の転動部を示す断面側面図である。
【図５】本発明の演出装置の構成を示す全体斜視図である。
【図６】本発明の演出装置の断面側面図である。
【図７】外カバー、外側筒体、内側筒体を除いた状態を示す演出装置の全体斜視図である。
【図８】外側筒体、内側筒体の基端支持構造を示す拡大斜視図である。
【図９】外側筒体、内側筒体の基端支持構造を示す断面側面図である。
【図１０】図６におけるＢ−Ｂ断面図である。
【符号の説明】
【００６４】
１００      遊技機
２００      図柄変動表示装置
７          転動部
６ｃ        始動入賞口
８４  外側筒体
８４１  基端部材
８５  内側筒体
８５１  基端部材
８５５  案内部材
８７１  光源
【図１】
2006262935.tif 000003
【図２】
2006262935.tif 000004
【図３】
2006262935.tif 000005
【図４】
2006262935.tif 000006
【図５】
2006262935.tif 000007
【図６】
2006262935.tif 000008
【図７】
2006262935.tif 000009
【図８】
2006262935.tif 000010
【図９】
2006262935.tif 000011
【図１０】
2006262935.tif 000012